【事件の表示】
　特願２０１２−１５４０５９「遊技機」拒絶査定不服審判事件〔平成２６年　１月３０日出願公開、特開２０１４−　１４５１７〕について、次のとおり審決する。
【結　論】
　本件審判の請求は、成り立たない。
【理　由】
第１　手続の経緯
　本願は、平成２４年７月９日の出願であって、平成２８年４月８日付けで拒絶の理由が通知され、平成２８年６月１７日に意見書が提出されたところ、平成２８年１１月２５日付けで拒絶査定がなされ、これに対して、平成２９年３月３日に拒絶査定不服審判の請求がなされると同時に手続補正がなされ、平成２９年５月２９日付けで前置報告がなされ、平成２９年７月５日に上申書が提出されたものである。
第２　平成２９年３月３日付けの手続補正についての補正却下の決定
［補正却下の決定の結論］
　平成２９年３月３日付けの手続補正（以下「本件補正」という。）を却下する。
［理由］
１　本件補正の概要
　本件補正は、特許請求の範囲の請求項１、２を補正する内容を含んでおり、本件補正により、特許請求の範囲の請求項１は、
「【請求項１】
　所定の遊技を行なう遊技機であって、
　遊技者にとって有利な特典を付与するか否かを決定する特典付与決定手段と、
　前記特典付与決定手段の決定結果に関する演出であって、当該決定結果を報知するまでの導入部と、当該導入部に続いて当該決定結果に関する情報を報知する主要部とから構成された報知演出を実行する報知演出実行手段とを備え、
　前記報知演出実行手段は、
　　前記導入部において第１演出が実行されたときの方が第２演出が実行されたときよりも特典が付与される可能性が高くなるように前記報知演出を実行し、
　　主要部で特典が付与される旨を報知する前記報知演出を実行するときにおいて、当該報知演出の開始よりも前の特定期間において実行されていた報知演出の導入部で第１演出を実行しかつ主要部で特典が付与されない旨を報知していたときには、当該報知演出の導入部で第２演出を実行することを規制する、遊技機。」
から
「【請求項１】
Ａ　所定の遊技を行なう遊技機であって、
Ｂ　遊技者にとって有利な特典を付与するか否かを決定する特典付与決定手段と、
Ｃ　前記特典付与決定手段の決定結果に関する演出であって、当該決定結果を報知するまでの導入部と、当該導入部に続いて当該決定結果に関する情報を報知する主要部とから構成された報知演出を実行する報知演出実行手段とを備え、
Ｄ　前記報知演出実行手段は、
前記導入部に続く前記主要部で特典が付与される旨が報知されるか否かに関する導入演出を当該導入部において実行可能であり、
Ｅ　
前記導入演出には、第１演出と、第２演出とが含まれ、
Ｆ　
前記第１演出は、前記第２演出よりも特典が付与される可能性が高く
Ｇ　
前記報知演出実行手段は、
　　　
第１の導入部に続く第１の主要部で特典が付与されない旨を報知する第１の報知演出を実行した後、第２の導入部に続く第２の主要部で特典が付与される旨を報知する第２の報知演出を実行可能であり、
Ｈ　　
前記第１の導入部で前記第１演出を実行したときに、前記第２の導入部で前記
に補正された（下線部は補正箇所を示す。また、Ａ〜Ｈは、分説するために当審にて付した。）。
２　補正の適否
　本件補正は、補正前の請求項１に記載した発明を特定するために必要な事項である「報知演出実行手段」に関して、「前記導入部に続く前記主要部で特典が付与される旨が報知されるか否かに関する導入演出を当該導入部において実行可能」である点、及び、「第１の導入部に続く第１の主要部で特典が付与されない旨を報知する第１の報知演出を実行した後、第２の導入部に続く第２の主要部で特典が付与される旨を報知する第２の報知演出を実行可能」である点を限定するとともに、「第１演出」及び「第２演出」に関して、「前記導入演出には、第１演出と、第２演出とが含まれ」る点を限定するものである。
　また、補正前の請求項１に記載された発明と補正後の請求項１に記載される発明の産業上の利用分野及び解決しようとする課題は同一である。
　したがって、本件補正は、特許法第１７条の２第５項第２号の特許請求の範囲の減縮を目的とするものに該当する。
　そして、本件補正は、新規事項を追加するものではない。
３　独立特許要件について
　本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
（１）本願補正発明
　本願補正発明は、上記１の本件補正の概要において示したとおりのものである。
（２）刊行物
　原査定の拒絶の理由に引用文献１として引用された特開２０１０−２２０６３７号公報（以下「刊行物１」という。）には、図面とともに以下の事項が記載されている（下線は当審で付した。以下同じ。）。  
（１−ａ）　「【００１１】
　以下、本発明の実施形態を図面に基づいて詳述する。図１〜図８は本発明を
パチンコ機
（１−ｂ）　「【００２２】
　
演出図柄表示手段２５は、例えば特別図柄表示手段２３による特別図柄の変動表示と並行して演出図柄を変動表示するもので、
特別図柄の変動停止と同時に最終停止するように、演出図柄を左、右、中等の所定の順序で停止させる
【００２３】
　演出図柄には、例えば「０」〜「９」の１０種類の数字図柄が用いられ、「６・６・６」「７・７・７」等、３つの図柄が全て同じ図柄で揃ったものが大当たり態様、少なくとも１つの図柄が異なるものが外れ態様となっている。また本実施形態では、
特別図柄が大当たり態様となる場合には演出図柄も大当たり態様となり、
（１−ｃ）　「【００２８】
　
主制御基板３１は、
特別図柄処理手段５４
を備えている。
（１−ｄ）　「【００３８】
　
特別図柄処理手段５４は、特別図柄の変動表示に関する処理を行うもので、大当たり判定手段７１、変動パターン選択手段７２、特別停止図柄選択手段７３等を備えている。
（１−ｅ）　「【００４３】
　
特別利益状態発生手段５５は、大入賞手段１７を所定の開放パターンに従って開放する特別利益状態を発生させるためのもので、大当たり判定手段７１による判定結果が大当たり判定となり、特別図柄表示手段２３による特別図柄の変動後の停止図柄が大当たり態様となることに基づいて特別利益状態を発生させるようになっている。
（１−ｆ）　「【００５４】
　
演出制御基板３２は、
演出図柄表示制御手段８３、特別保留個数表示制御手段８４、保留記憶手段８５、連続予告制御手段８６、音声制御手段８７、ランプ制御手段８８等を備えている。
【００５５】
　音声制御手段８７は、スピーカー等の音声出力手段８１の音声出力制御を行うもので、主制御基板３１側からの音声制御コマンドに基づいて音声出力手段８１から所定の効果音等を出力させるようになっている。ランプ制御手段８８は、ランプ手段８２等の表示制御を行うもので、主制御基板３１側からのランプ制御コマンドに基づいてランプ手段８２等を所定のパターンで発光させるようになっている。
【００５６】
　
演出図柄表示制御手段８３は、演出図柄表示手段２５の表示制御を行うもので、
選択された停止図柄で演出図柄の変動を停止させるようになっている。
（１−ｇ）　「【００６０】
　
連続予告制御手段８６は、予告演出表示手段３０による予告演出を特別図柄表示手段２３による複数回の図柄変動にわたって行う連続予告状態の発生を制御するもので、連続予告状態開始手段８６ａと連続予告演出制御手段８６ｂとを備えている。
【００６１】
　
連続予告状態開始手段８６ａは、例えば図５に示すような連続予告状態開始処理を制御コマンドの受信を契機として実行するように構成されている。連続予告状態開始手段８６ａによる連続予告状態開始処理（図５）
・・・
【００６５】
　
Ｓ４において特別図柄に関する最新以外の保留記憶が全てリーチなし外れであると判定された場合には（Ｓ４：Ｙｅｓ）、保留記憶手段８５に格納されている内容に基づいて、特別図柄に関する最新の保留記憶が大当たりであるか否かが判定され（Ｓ５）、大当たりの場合には大当たりの連続予告状態を開始させるか否かの抽選が行われ（Ｓ６）
【００６６】
　そして、
大当たり又はガセの連続予告状態を開始させる旨の抽選結果が得られることを条件に（Ｓ８：Ｙｅｓ）、特別保留個数と最新の保留記憶の内容とに応じた予告演出選択テーブルに基づいて予告演出列が選択されると共に（Ｓ９）、連続予告カウンタに特別保留個数の値がセットされ（Ｓ１０）
【００６７】
　ここで、「予告演出列」とは、
連続予告状態中の各図柄変動時に実行される予告演出
また本実施形態では、順位の異なる４種類の予告演出Ａ〜Ｄが設けられており、予告演出Ａ〜Ｄの順で順位が高くなるように設定されている
【００６８】
　また、本実施形態では
連続予告状態中の２回目以降の図柄変動時には直前の図柄変動時と同じかそれよりも高い順位の予告演出が実行されるように構成されている
【００６９】
　なお、
予告演出Ａ〜Ｄの具体的な内容は任意であり、例えば演出図柄の背景、演出図柄の変動中に出現するキャラクタ、音声、ランプ発光等、どのような演出でもよい
【００７０】
　また、「予告演出選択テーブル」は、選択対象となる複数の予告演出列とその選択率とを予め設定するもので、連続予告状態開始時の特別保留個数（連続予告状態中の図柄変動回数）毎、及び連続予告状態開始時の最新の保留記憶の内容（連続予告状態中の最終の図柄変動の内容）毎に設けられている。
【００７１】
　本実施形態では、連続予告状態開始時の特別保留個数２〜４個の夫々について、
連続予告状態開始時の最新の保留記憶が大当たりの場合（図７（ａ），（ｄ），（ｇ））、リーチ外れの場合（図７（ｂ），（ｅ），（ｈ））、及びリーチなし外れの場合（図７（ｃ），（ｆ），（ｉ））の各３種類、計９種類の予告演出選択テーブルが設けられているものとする。
【００７２】
　なお、図７の例では、予告演出Ｄは最新の保留記憶が大当たりの場合にのみ選択され、予告演出Ｃは最新の保留記憶が大当たり又はリーチ外れの場合にのみ選択されるように各予告演出選択テーブルが設定されている。これにより、
連続予告状態中に予告演出Ｃが出現すればリーチ確定となり、予告演出Ｄが出現すれば大当たり確定となる。
　上記（１−ａ）〜（１−ｇ）の記載事項から、以下（１−ｈ）〜（１−ｍ）の事項が導かれる。
（１−ｈ）上記記載事項（１−ｅ）には、「特別利益状態発生手段５５は、大入賞手段１７を所定の開放パターンに従って開放する特別利益状態を発生させるためのもので、大当たり判定手段７１による判定結果が大当たり判定となり、特別図柄表示手段２３による特別図柄の変動後の停止図柄が大当たり態様となることに基づいて特別利益状態を発生させるようになっている。」（段落【００４３】）と記載されているから、大当たり判定手段７１は、特別図柄の変動後の停止図柄を大当たり態様とし、大入賞手段１７を所定の開放パターンに従って開放する特別利益状態を発生させるか否かの判定を行うものといえる。
　さらに、上記記載事項（１−ｃ）、（１−ｄ）より、「主制御基板３１は」、「特別図柄処理手段５４」「を備え」（段落【００２８】）、「特別図柄処理手段５４は」、「大当たり判定手段７１」「を備えている」（段落【００３８】）から、大当たり判定手段７１は主制御基板３１に備えられているといえる。
　したがって、刊行物１には、
特別図柄の変動後の停止図柄を大当たり態様とし、大入賞手段１７を所定の開放パターンに従って開放する特別利益状態を発生させるか否かの判定を行う主制御基板３１
（１−ｉ）上記記載事項（１−ｂ）より、「演出図柄表示手段２５は、例えば特別図柄表示手段２３による特別図柄の変動表示と並行して演出図柄を変動表示するもの」であり、「特別図柄の変動停止と同時に最終停止するように、演出図柄を左、右、中等の所定の順序で停止させ」（段落【００２２】）、また、「特別図柄が大当たり態様となる場合には演出図柄も大当たり態様」（段落【００２３】）となるから、演出図柄表示手段２５において、特別図柄の変動表示と並行して演出図柄を変動表示させ、特別図柄が大当たり態様となる場合には演出図柄も大当たり態様となるように、演出図柄の変動を停止させるといえる。
　また、上記記載事項（１−ｆ）より、「演出図柄表示制御手段８３は、演出図柄表示手段２５の表示制御を行」い、「選択された停止図柄で演出図柄の変動を停止させる」（段落【００５６】）ものであり、さらに、「演出制御基板３２」は、「演出図柄表示制御手段８３」「を備えている」（段落【００５４】）から、演出制御基板３２が演出図柄表示手段２５の表示制御を行い、選択された停止図柄で演出図柄の変動を停止させるといえる。
　したがって、刊行物１には、
演出図柄表示手段２５に、特別図柄の変動表示と並行して演出図柄を変動表示させ、特別図柄が大当たり態様となる場合には演出図柄も大当たり態様となるように、選択された停止図柄で演出図柄の変動を停止させる演出制御基板３２
（１−ｊ）上記記載事項（１−ｇ）には、「連続予告状態中の各図柄変動時に実行される予告演出」及び「また本実施形態では、順位の異なる４種類の予告演出Ａ〜Ｄが設けられており」（段落【００６７】）と記載されているから、連続予告状態中の各図柄変動時に順位の異なる４種類の予告演出Ａ〜Ｄが実行されるといえる。また、上記記載事項（１−ｇ）には、「予告演出Ａ〜Ｄの具体的な内容は任意であり、例えば演出図柄の背景、演出図柄の変動中に出現するキャラクタ、音声、ランプ発光等、どのような演出でもよい」（段落【００６９】）と記載されているから、上記記載における「連続予告状態中の各図柄変動時」が「連続予告状態中の各演出図柄変動時」を意味することは、明らかである。
　さらに、上記記載事項（１−ｇ）より、「連続予告制御手段８６は、予告演出表示手段３０による予告演出を特別図柄表示手段２３による複数回の図柄変動にわたって行う連続予告状態の発生を制御するもの」（段落【００６０】）であり、また、上記記載事項（１−ｆ）より、「演出制御基板３２は」、「連続予告制御手段８６」「を備えている」（段落【００５４】）から、演出制御基板３２が、予告演出に関する制御を実行するといえる。
　したがって、刊行物１には、
演出制御基板３２は、連続予告状態中の各演出図柄変動時に順位の異なる４種類の予告演出Ａ〜Ｄを実行すること
（１−ｋ）上記記載事項（１−ｇ）には、「順位の異なる４種類の予告演出Ａ〜Ｄ」（段落【００６７】）と記載されており、「４種類の予告演出Ａ〜Ｄ」が予告演出Ａ、予告演出Ｂ、予告演出Ｃ、予告演出Ｄの４種類を意味することは明らかである。
　したがって、刊行物１には、
予告演出Ａ〜Ｄには、予告演出Ａと予告演出Ｃとが含まれること
（１−ｌ）上記記載事項（１−ｇ）には、「連続予告状態開始時の最新の保留記憶が大当たりの場合（図７（ａ），（ｄ），（ｇ））、リーチ外れの場合（図７（ｂ），（ｅ），（ｈ））、及びリーチなし外れの場合（図７（ｃ），（ｆ），（ｉ））の各３種類、計９種類の予告演出選択テーブルが設けられているものとする。」（段落【００７１】）と記載されている。
　また、段落【００６７】には「順位の異なる４種類の予告演出Ａ〜Ｄ」について、「予告演出Ａ〜Ｄの順で順位が高くなる」との記載があり、さらに、段落【００６８】の「連続予告状態中の２回目以降の図柄変動時には直前の図柄変動時と同じかそれよりも高い順位の予告演出が実行されるように構成されている（いわゆるステップアップ連続予告）」及び段落【００７２】の「連続予告状態中に予告演出Ｃが出現すればリーチ確定となり、予告演出Ｄが出現すれば大当たり確定となる。」との記載より、順位が高い予告演出の方が実行された場合に大当たりとなる可能性が高いことは、明らかであるから、刊行物１には、予告演出Ｃが実行された場合の大当たりとなる可能性は、予告演出Ａが実行された場合よりも高いことが記載されているといえる。このことは、図７において、予告演出Ａが実行された変動において「大当たり」となるのが選択テーブル（ａ）（ｄ）（ｇ）が選択され、それぞれ「ＡＡ」、「ＡＡＡ」、「ＡＡＡＡ」が選択された場合の最後の予告演出Ａについてのみであることや、予告演出Ｃは「リーチなし外れ」の場合には実行されないことが示されていることと整合する。
　したがって、刊行物１には、
予告演出Ｃは、予告演出Ａよりも実行されたときに大当たりとなる可能性が高い
（１−ｍ）上記記載事項（１−ｇ）には、「連続予告状態開始処理」（段落【００６１】）において、「Ｓ４において特別図柄に関する最新以外の保留記憶が全てリーチなし外れであると判定された場合には（Ｓ４：Ｙｅｓ）、保留記憶手段８５に格納されている内容に基づいて、特別図柄に関する最新の保留記憶が大当たりであるか否かが判定され（Ｓ５）、大当たりの場合には大当たりの連続予告状態を開始させるか否かの抽選が行われ（Ｓ６）」（段落【００６５】）、「大当たり又はガセの連続予告状態を開始させる旨の抽選結果が得られることを条件に（Ｓ８：Ｙｅｓ）、特別保留個数と最新の保留記憶の内容とに応じた予告演出選択テーブルに基づいて予告演出列が選択されると共に（Ｓ９）、連続予告カウンタに特別保留個数の値がセットされ（Ｓ１０）」（段落【００６６】）、と記載されているから、刊行物１には、連続予告状態開始処理において、最新以外の保留記憶が全てリーチなし外れと判定され、最新の保留記憶は大当りであると判定された場合に連続予告状態を開始させることができる点が記載されているといえる。
　さらに、上記記載事項（１−ｆ）より、「演出制御基板３２は」、「連続予告制御手段８６」「を備えて」（段落【００５４】）おり、上記記載事項（１−ｇ）より、「連続予告制御手段８６は」、「連続予告状態開始手段８６ａと連続予告演出制御手段８６ｂとを備え」（段落【００６０】）、「連続予告状態開始手段８６ａは、例えば図５に示すような連続予告状態開始処理を制御コマンドの受信を契機として実行する」（段落【００６１】）から、演出制御基板３２は連続予告状態開始処理を行うといえる。
　したがって、刊行物１には、
演出制御基板３２は、最新以外の保留記憶が全てリーチなし外れと判定され、最新の保留記憶は大当りであると判定された場合に連続予告状態を開始させることができる
　上記（１−ａ）〜（１−ｇ）の記載事項及び（１−ｈ）〜（１−ｍ）の認定事項を総合すると、刊行物１には、次の発明（以下「刊行物１発明」という。）が記載されていると認められる。（ａ〜ｈは、本願補正発明のＡ〜Ｈに対応させて付した。）
「ａ　パチンコ機において、（段落【００１１】）
ｂ　特別図柄の変動後の停止図柄を大当たり態様とし、大入賞手段１７を所定の開放パターンに従って開放する特別利益状態を発生させるか否かの判定を行う主制御基板３１と、（認定事項（１−ｈ））
ｃ　演出図柄表示手段２５に、特別図柄の変動表示と並行して演出図柄を変動表示させ、特別図柄が大当たり態様となる場合には演出図柄も大当たり態様となるように、選択された停止図柄で演出図柄の変動を停止させる演出制御基板３２とを備え、（認定事項（１−ｉ））
ｄ　演出制御基板３２は、連続予告状態中の各演出図柄変動時に順位の異なる４種類の予告演出Ａ〜Ｄを実行し、（認定事項（１−ｊ））
ｅ　予告演出Ａ〜Ｄには、予告演出Ａと予告演出Ｃとが含まれ、（認定事項（１−ｋ））
ｆ　予告演出Ｃは、予告演出Ａよりも実行されたときに大当たりとなる可能性が高く、（認定事項（１−ｌ））
ｇ　演出制御基板３２は、
　最新以外の保留記憶が全てリーチなし外れと判定され、最新の保留記憶は大当りであると判定された場合に連続予告状態を開始させることができ、（認定事項（１−ｍ））
ｈ　連続予告状態中の２回目以降の図柄変動時には直前の図柄変動時と同じかそれよりも高い順位の予告演出を実行し、予告演出Ａ〜Ｄの順で順位が高くなるように設定されている、パチンコ機。 （段落【００６７】、【００６８】）」
（３）対比、判断
　本願補正発明と刊行物１発明とを対比する（下記の（ａ）〜（ｈ）は、刊行物１発明の構成ａ〜ｈに対応している。）。
（ａ）刊行物１発明の「パチンコ機」は、所定の遊技を行うものであることは当業者にとって自明であるから、本願補正発明における「所定の遊技を行なう遊技機」に相当する。
（ｂ）刊行物１発明において、「大入賞手段１７を所定の開放パターンに従って開放する特別利益状態を発生させる」ことは、本願補正発明において、「遊技者にとって有利な特典を付与する」ことに相当する。
　したがって、刊行物１発明の「特別図柄の変動後の停止図柄を大当たり態様とし、大入賞手段１７を所定の開放パターンに従って開放する特別利益状態を発生させるか否かの判定を行う主制御基板３１」は、本願補正発明の「遊技者にとって有利な特典を付与するか否かを決定する特典付与決定手段」に相当する。
（ｃ）刊行物１発明は、「特別図柄が大当たり態様となる場合には演出図柄も大当たり態様となるように、選択された停止図柄で演出図柄の変動を停止させる」ものであるから、「演出図柄」は「特別図柄」が「大当たり態様」となるか否かに関連した態様の停止図柄で停止されるものであるといえる。よって、刊行物１発明における「演出図柄表示手段２５に、特別図柄の変動表示と並行して演出図柄を変動表示させ、特別図柄が大当たり態様となる場合には演出図柄も大当たり態様となるように、選択された停止図柄で演出図柄の変動を停止させる」演出は、「特別図柄を大当たり態様とし、大入賞手段１７を所定の開放パターンに従って開放する特別利益状態を発生させるか否かの判定」（構成ａ）を行った際の決定結果に関する演出であるといえる。
　また、刊行物１発明において、「演出図柄表示手段２５に、特別図柄の変動表示と並行して演出図柄を変動表示させ、特別図柄が大当たり態様となる場合には演出図柄も大当たり態様となるように、選択された停止図柄で演出図柄の変動を停止させる」演出は、最終停止図柄により上記決定結果を報知するものであるから、本願補正発明の「報知演出」に相当し、当該演出を構成する「演出図柄を変動表示させ」る期間における演出、及び、「選択された停止図柄で演出図柄の変動を停止させる」際の演出は、それぞれ、本願補正発明における「当該決定結果を報知するまでの導入部」、及び、「当該決定結果に関する情報を報知する主要部」に相当する。
　したがって、刊行物１発明における「演出図柄表示手段２５に、特別図柄の変動表示と並行して演出図柄を変動表示させ、特別図柄が大当たり態様となる場合には演出図柄も大当たり態様となるように、選択された停止図柄で演出図柄の変動を停止させる演出制御基板３２」は、本願補正発明における「前記特典付与決定手段の決定結果に関する演出であって、当該決定結果を報知するまでの導入部と、当該導入部に続いて当該決定結果に関する情報を報知する主要部とから構成された報知演出を実行する報知演出実行手段」に相当する。
（ｄ）刊行物１発明の「演出制御基板３２は」、「予告演出Ａ〜Ｄ」を「各演出図柄変動時に」「実行」するから、「演出制御基板３２」は、「演出図柄を変動表示させ」る期間（構成ｃ）において「予告演出Ａ〜Ｄ」を実行可能であるといえる。また、刊行物１発明の「予告演出Ａ〜Ｄ」のうち、「予告演出Ｃは、予告演出Ａよりも実行されたときに大当たりとなる可能性が高」（構成ｆ）いものであるから、「予告演出Ａ〜Ｄ」は「大当たり」となるか否かに関連する演出、すなわち、「演出図柄を変動表示させ」た後に「選択された停止図柄で演出図柄の変動を停止させる」際の「停止図柄」が「大当たり態様」となること（構成ｃ）に関連する演出であるといえる。
　よって、刊行物１発明の「予告演出Ａ〜Ｄ」は、本願補正発明の「前記導入部に続く前記主要部で特典が付与される旨が報知されるか否かに関する導入演出」に相当する。また、刊行物１発明において、「演出制御基板３２」は、「予告演出Ａ〜Ｄを実行」するから、「予告演出Ａ〜Ｄ」を実行可能といえる。
　したがって、刊行物１発明において、「演出制御基板３２は、連続予告状態中の各演出図柄変動時に順位の異なる４種類の予告演出Ａ〜Ｄを実行」することは、本願補正発明において、「前記報知演出実行手段は、前記導入部に続く前記主要部で特典が付与される旨が報知されるか否かに関する導入演出を当該導入部において実行可能」とすることに相当する。
（ｅ）刊行物１発明の「予告演出Ａ」及び「予告演出Ｃ」は、それぞれ、本願補正発明の「第２演出」及び「第１演出」に相当する。
　したがって、刊行物１発明において「予告演出Ａ〜Ｄには、予告演出Ａと予告演出Ｃとが含まれ」ることは、本願補正発明における「前記導入演出には、第１演出と、第２演出とが含まれ」ることに相当する。
（ｆ）刊行物１発明において、「予告演出Ｃは、予告演出Ａよりも実行されたときに大当たりとなる可能性が高」いことは、本願補正発明における、「前記第１演出は、前記第２演出よりも特典が付与される可能性が高」いことに相当する。
（ｇ）刊行物１発明の「演出制御基板３２」は、「最新以外の保留記憶が全てリーチなし外れと判定され、最新の保留記憶は大当りであると判定された場合に連続予告状態を開始させることができ」るものであるから、「最新以外の保留記憶」に関する変動における最終停止図柄により「外れ」、すなわち、特典が付与されない旨が報知され、それに続く「最新の保留記憶」に関する変動における最終停止図柄により「大当たり」、すなわち、特典が付与される旨が報知される場合に、「連続予告状態」とすることが可能なものといえる。そして、刊行物１発明における「最新以外の保留記憶」及び「最新の保留記憶」における「演出図柄表示手段２５に、特別図柄の変動表示と並行して演出図柄を変動表示させ、特別図柄が大当たり態様となる場合には演出図柄も大当たり態様となるように、選択された停止図柄で演出図柄の変動を停止させる」演出が、それぞれ、本願補正発明における「第１の報知演出」及び「第２の報知演出」に相当する。
　したがって、刊行物１発明において、「演出制御基板３２は」、「最新以外の保留記憶が全てリーチなし外れと判定され、最新の保留記憶は大当りであると判定された場合に連続予告状態を開始させることができ」ることは、本願補正発明における、「前記報知演出実行手段は」、「第１の導入部に続く第１の主要部で特典が付与されない旨を報知する第１の報知演出を実行した後、第２の導入部に続く第２の主要部で特典が付与される旨を報知する第２の報知演出を実行可能であ」ることに相当する。
（ｈ）刊行物１発明において、「演出制御基板３２」は、「連続予告状態中の２回目以降の図柄変動時には直前の図柄変動時と同じかそれよりも高い順位の予告演出を実行」し、また「予告演出Ａ〜Ｄの順で順位が高くなるように設定」されているから、「予告演出Ｃ」を実行した後に、より順位の低い「予告演出Ａ」を実行することはない、すなわち、「予告演出Ｃ」を実行した後に「予告演出Ａ」を実行することは「規制」されているといえる。
　したがって、刊行物１発明における「演出制御基板３２は」、「連続予告状態中の２回目以降の図柄変動時には直前の図柄変動時と同じかそれよりも高い順位の予告演出を実行し、予告演出Ａ〜Ｄの順で順位が高くなるように設定されている」ことは、本願補正発明における「前記報知演出実行手段は」、「前記第１の導入部で前記第１演出を実行したときに、前記第２の導入部で前記第２演出を実行することを規制する」ことに相当する。
　以上、（ａ）〜（ｈ）の対比より、本願補正発明と刊行物１発明とは、
「Ａ　所定の遊技を行なう遊技機であって、
Ｂ　遊技者にとって有利な特典を付与するか否かを決定する特典付与決定手段と、
Ｃ　前記特典付与決定手段の決定結果に関する演出であって、当該決定結果を報知するまでの導入部と、当該導入部に続いて当該決定結果に関する情報を報知する主要部とから構成された報知演出を実行する報知演出実行手段とを備え、
Ｄ　前記報知演出実行手段は、前記導入部に続く前記主要部で特典が付与される旨が報知されるか否かに関する導入演出を当該導入部において実行可能であり、
Ｅ　前記導入演出には、第１演出と、第２演出とが含まれ、
Ｆ　前記第１演出は、前記第２演出よりも特典が付与される可能性が高く、
Ｇ　前記報知演出実行手段は、
　　　第１の導入部に続く第１の主要部で特典が付与されない旨を報知する第１の報知演出を実行した後、第２の導入部に続く第２の主要部で特典が付与される旨を報知する第２の報知演出を実行可能であり、
Ｈ　　前記第１の導入部で前記第１演出を実行したときに、前記第２の導入部で前記第２演出を実行することを規制する、遊技機。」
である点で一致し、相違点はない。
　したがって、本願補正発明は刊行物１発明と同一であり、刊行物１に記載された発明といえる。
　また、仮に相違点があったとしても、本願補正発明は刊行物１発明から当業者が容易に想到することができたものであるといえる。
（４）請求人の主張について
　請求人は、審判請求書（第７頁第２６行〜第８頁第６行）において、「これに対して、引用発明では、「導入部」に相当すると認定された「予告演出」が繰り返し実行されますが、「主要部」に相当すると認定された「図柄確定」は、毎回の「予告演出」の後に続いて実行されるものではなく、「予告演出」が繰り返し実行された後の最終結果として「図柄確定」となるものです。つまり、引用発明の場合、複数回の図柄変動に亘って予告演出が実行されますが、当該予告演出で予告された最終結果である図柄確定は、当該複数回の図柄変動で毎回行われるものではなく、当該複数回の図柄変動のうちの最終変動で確定します。このように、引用発明は、繰り返し実行される報知演出において「導入部」に続いて「主要部」が実行されるといった本願第１発明の構成Ｃ１，Ｄ１，Ｈ１を少なくとも備えておらず、この点において、本願発明と明らかに相違します。」との主張をしており、また、上申書（第３頁第２４〜２８行）においても、「上述しましたように、審判請求時の補正は適法であり、本願発明１，２は、「導入部」および「主要部」がセットになった報知演出が繰り返し実行されるといった明確な構成を備えています。そして、「第２演出を実行することを規制する」条件は、“第１の導入部で第１演出を実行した”ことと、“第１の主要部で特典が付与されない旨を報知する”ことが請求項で明確に規定されているため、審判請求において主張した通り、本願発明１，２は、引用文献１に記載された発明と相違します。」との主張をしている。
　しかしながら、上記（３）の特に（ｃ）（ｇ）で示したとおり、刊行物１発明の「演出図柄表示手段２５に、特別図柄の変動表示と並行して演出図柄を変動表示させ、特別図柄が大当たり態様となる場合には演出図柄も大当たり態様となるように、選択された停止図柄で演出図柄の変動を停止させる」報知演出も、「演出図柄を変動表示させ」る導入部に続いて「選択された停止図柄で演出図柄の変動を停止させる」主要部を実行するものであり、これを「最新以外の保留記憶」と「最新の保留記憶」とに関する複数の変動において実行するものであるから、請求人が主張する上記の点で刊行物１発明と本願補正発明とが相違するとはいえない。よって、請求人の上記主張は採用することができない。
（５）まとめ
　以上のように、本願補正発明は、刊行物１発明と同一の発明であるか、又は、当業者が刊行物１発明に基づいて容易に発明をすることができたものであるから、特許法第２９条第１項第３号又は第２項の規定により、特許出願の際独立して特許を受けることができない。
４ 補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記のとおり却下されたので、本願の請求項に係る発明は、出願時の特許請求の範囲に記載されたとおりのものであり、請求項１に係る発明（以下「本願発明」という。）は次のとおりである（Ａ〜Ｃ、Ｉ、Ｊは、分説するために当審にて付した。）。
「【請求項１】
Ａ　所定の遊技を行なう遊技機であって、
Ｂ　遊技者にとって有利な特典を付与するか否かを決定する特典付与決定手段と、
Ｃ　前記特典付与決定手段の決定結果に関する演出であって、当該決定結果を報知するまでの導入部と、当該導入部に続いて当該決定結果に関する情報を報知する主要部とから構成された報知演出を実行する報知演出実行手段とを備え、
Ｉ　前記報知演出実行手段は、
　　　前記導入部において第１演出が実行されたときの方が第２演出が実行されたときよりも特典が付与される可能性が高くなるように前記報知演出を実行し、
Ｊ　　主要部で特典が付与される旨を報知する前記報知演出を実行するときにおいて、当該報知演出の開始よりも前の特定期間において実行されていた報知演出の導入部で第１演出を実行しかつ主要部で特典が付与されない旨を報知していたときには、当該報知演出の導入部で第２演出を実行することを規制する、遊技機。」
２　刊行物
　刊行物１及びその記載事項並びに刊行物１発明は、上記「第２　３（２）」に記載したとおりである。
３　対比・判断
　本願発明と刊行物１発明とを対比する。
　本願発明における構成Ａ〜Ｃと刊行物１発明における構成ａ〜ｃとの対比については、上記「第２　３（３）（ａ）〜（ｃ）」に記載したとおりである。
　本願発明における構成Ｉと刊行物１発明とを対比すると、刊行物１発明の「予告演出Ａ」及び「予告演出Ｃ」は、それぞれ、本願発明の「第２演出」及び「第１演出」に相当する。
　したがって、刊行物１発明は、「予告演出Ｃは、予告演出Ａよりも実行されたときに大当たりとなる可能性が高」（構成ｆ）く、「演出制御基板３２は、連続予告状態中の各演出図柄変動時に順位の異なる４種類の予告演出Ａ〜Ｄを実行」（構成ｄ）するから、本願発明における「前記報知演出実行手段は」、「前記導入部において第１演出が実行されたときの方が第２演出が実行されたときよりも特典が付与される可能性が高くなるように前記報知演出を実行」する構成（構成Ｉ）を有しているといえる。
　本願発明における構成Ｊと刊行物１発明とを対比すると、刊行物１発明において「演出制御基板３２」が、「最新以外の保留記憶が全てリーチなし外れと判定され、最新の保留記憶は大当りであると判定された場合に連続予告状態を開始」（構成ｇ）したときとは、「最新の保留記憶」に関する変動において「大当たり」となるとき、すなわち主要部で特典が付与される旨が報知されるときにおいて、「最新の保留記憶」に関する変動よりも前に実行される「最新以外の保留記憶」に関する変動において「外れ」となる、すなわち主要部で特典が付与されない旨を報知するときといえる。
　また、刊行物１発明において、「連続予告状態を開始」したときは、「演出制御基板３２は、連続予告状態中の各演出図柄変動時に順位の異なる４種類の予告演出Ａ〜Ｄを実行」（構成ｄ）し、「連続予告状態中の２回目以降の図柄変動時には直前の図柄変動時と同じかそれよりも高い順位の予告演出を実行し、予告演出Ａ〜Ｄの順で順位が高くなるように設定されている」（構成ｈ）から、「最新以外の保留記憶」に関する変動において、演出図柄変動時に「予告演出Ｃ」が実行されたときには、「最新の保留記憶」に関する変動において、演出図柄変動時に、「予告演出Ｃ」より順位の低い「予告演出Ａ」が実行されることはない、すなわち、「予告演出Ａ」を実行することは「規制」されているといえる。
　したがって、刊行物１発明は、「演出制御基板３２は、連続予告状態中の各演出図柄変動時に順位の異なる４種類の予告演出Ａ〜Ｄを実行し」（構成ｄ）、「演出制御基板３２は」、「最新以外の保留記憶が全てリーチなし外れと判定され、最新の保留記憶は大当りであると判定された場合に連続予告状態を開始させることができ」（構成ｇ）、「連続予告状態中の２回目以降の図柄変動時には直前の図柄変動時と同じかそれよりも高い順位の予告演出を実行し、予告演出Ａ〜Ｄの順で順位が高くなるように設定されている」（構成ｈ）という構成を有するから、本願発明における、「前記報知演出実行手段は」、「主要部で特典が付与される旨を報知する前記報知演出を実行するときにおいて、当該報知演出の開始よりも前の特定期間において実行されていた報知演出の導入部で第１演出を実行しかつ主要部で特典が付与されない旨を報知していたときには、当該報知演出の導入部で第２演出を実行することを規制する」構成（構成Ｊ）を有しているといえる。
　以上の対比より、本願発明と刊行物１発明とは、
「Ａ　所定の遊技を行なう遊技機であって、
Ｂ　遊技者にとって有利な特典を付与するか否かを決定する特典付与決定手段と、
Ｃ　前記特典付与決定手段の決定結果に関する演出であって、当該決定結果を報知するまでの導入部と、当該導入部に続いて当該決定結果に関する情報を報知する主要部とから構成された報知演出を実行する報知演出実行手段とを備え、
Ｉ　前記報知演出実行手段は、
　　　前記導入部において第１演出が実行されたときの方が第２演出が実行されたときよりも特典が付与される可能性が高くなるように前記報知演出を実行し、
Ｊ　　主要部で特典が付与される旨を報知する前記報知演出を実行するときにおいて、当該報知演出の開始よりも前の特定期間において実行されていた報知演出の導入部で第１演出を実行しかつ主要部で特典が付与されない旨を報知していたときには、当該報知演出の導入部で第２演出を実行することを規制する、遊技機。」
である点で一致し、相違点はない。
　したがって、本願発明は刊行物１発明と同一であり、刊行物１に記載された発明といえる。
　また、仮に相違点があったとしても、本願発明は刊行物１発明から当業者が容易に想到することができたものであるといえる。
４　むすび
　以上のとおりであるから、本願発明は、特許法第２９条第１項第３号または第２項の規定により特許を受けることができない。
　したがって、その余の請求項について検討するまでもなく、本願は、拒絶されるべきものである。
　よって、結論のとおり審決する。